(57)【要約】【課題】明るさ又は色調等のバラツキにより視認性が低下することのない動画の一覧表示を行うための動画表示処理装置、動画データ多重化装置、動画表示方法、コンピュータプログラム及び記録媒体を提供する。【解決手段】一覧表示する複数の動画データの明るさ又は色調等の特徴量を基に、基準値算出部３０が基準値を算出する。例えば、複数の特徴値を平均化して基準値を算出することができる。この基準値を基に各補正部２０にて各動画データの階調値を補正するための補正値を算出し、階調値の補正を行う。例えば、各動画データの階調値を基準値に近付けるように補正する。これにより、各動画の明るさ又は色調等を基準値に近付けることができ、視認性が向上される。【選択図】図２
2009055231.tif 000002
【特許請求の範囲】
【請求項１】
表示手段に複数の動画データに係る複数の動画を一画面に同時的に表示させる処理を行う動画表示処理装置において、
各動画データの階調値に係る特徴量を基に、動画データの階調補正の基準値を算出する基準値算出手段と、
算出された前記基準値を基に、動画データの階調値を補正する補正値を動画データ毎にそれぞれ算出する補正値算出手段と、
算出された前記補正値に応じて、各動画データの階調値を補正する補正手段と
を備えることを特徴とする動画表示処理装置。
【請求項２】
前記特徴量は、前記動画データの明るさ及び／又は色調に係る量であること
を特徴とする請求項１に記載の動画表示処理装置。
【請求項３】
前記基準値算出手段は、複数の動画データに係る複数の特徴量を平均化して、前記基準値を算出するようにしてあること
を特徴とする請求項１又は請求項２に記載の動画表示処理装置。
【請求項４】
前記補正値算出手段は、動画データの特徴量を前記基準値に近付ける補正値を算出するようにしてあること
を特徴とする請求項１から請求項３までのいずれか１つに記載の動画表示処理装置。
【請求項５】
前記基準値算出手段は、
動画データの階調値と前記表示手段により表示される動画の表示階調との対応を予め記憶しておき、
前記対応を基に、前記動画データの特徴量を前記表示手段により表示される動画の特徴量に変換し、
変換した特徴量を基に前記基準値を算出するようにしてあること
を特徴とする請求項１から請求項４までのいずれか１つに記載の動画表示処理装置。
【請求項６】
前記動画データの階調値の最大値及び／又は最小値を、所定の上限値及び／又は下限値に合わせて調整する調整手段を更に備えること
を特徴とする請求項１から請求項５までのいずれか１つに記載の動画表示処理装置。
【請求項７】
前記動画は複数のシーンが連なって構成されており、
前記シーンの変化を検出するシーン変化検出手段を更に備え、
前記基準値算出手段は、前記シーンの変化が検出された場合に、前記基準値の更新を行うようにしてあること
を特徴とする請求項１から請求項６までのいずれか１つに記載の動画表示処理装置。
【請求項８】
前記表示手段が前記複数の動画を並べて表示するようにしてあり、
前記シーン変化検出手段がシーンの変化を検出した場合に、シーンの変化が生じた動画の特徴量と該動画に隣接して表示された他の動画の特徴量との差に応じて、各動画の表示速度を決定する表示速度決定手段を更に備え、
該表示速度決定手段が決定した表示速度に応じて各動画を表示するようにしてあること
を特徴とする請求項７に記載の動画表示処理装置。
【請求項９】
前記動画データの特徴量を基に、各動画の表示位置を決定する表示位置決定手段を更に備え、
該表示位置決定手段が決定した表示位置に応じて、前記表示手段に各動画を並べて表示させるようにしてあること
を特徴とする請求項１から請求項８までのいずれか１つに記載の動画表示処理装置。
【請求項１０】
前記動画データを構成する複数の画素の階調値の分布に応じて、前記動画データの特徴量を算出する特徴量算出手段を更に備えること
を特徴とする請求項１から請求項９までのいずれか１つに記載の動画表示処理装置。
【請求項１１】
動画データを構成する複数の画素の階調値の分布を算出する分布算出手段と、
前記分布を基に動画データに係る動画のシーンの変化を検出するシーン変化検出手段と、
前記分布を基に前記動画データの特徴量を算出する特徴量算出手段と、
前記動画データに前記シーン変化検出手段が検出したシーンの変化及び前記特徴量算出手段が算出した特徴量に係る情報を付与して、前記動画データを多重化する多重化手段と
を備えることを特徴とする動画データ多重化装置。
【請求項１２】
表示手段にて複数の動画データに係る複数の動画を一画面に同時的に表示する動画表示方法において、
各動画データの階調値に係る特徴量を基に、動画データの階調補正の基準値を算出し、
算出した前記基準値を基に、動画データの階調値を補正する補正値を動画データ毎にそれぞれ算出し、
算出した前記補正値に応じて、動画データの階調値を補正し、
階調値がそれぞれ補正された複数の動画データに係る複数の動画を同時的に表示すること
を特徴とする動画表示方法。
【請求項１３】
コンピュータに、表示手段にて複数の動画データに係る複数の動画を一画面に同時的に表示させるコンピュータプログラムにおいて、
コンピュータに、
各動画データの階調値に係る特徴量を基に、動画データの階調補正の基準値を算出させるステップと、
算出した前記基準値を基に、動画データの階調値を補正する補正値を動画データ毎にそれぞれ算出させるステップと、
算出した前記補正値に応じて、動画データの階調値を補正させるステップと
を含み、
階調値がそれぞれ補正された複数の動画データに係る複数の動画を前記表示手段にて同時的に表示させること
を特徴とするコンピュータプログラム。
【請求項１４】
請求項１３に記載のコンピュータプログラムが記録してあること
を特徴とする記録媒体。
【発明の詳細な説明】
【技術分野】
【０００１】
本発明は、液晶ディスプレイなどの表示画面に複数の動画を同時的に表示する動画表示処理装置、動画表示方法、コンピュータプログラム及び記録媒体に関し、また、これらの表示に適した動画データを生成する動画データ多重化装置に関する。
【背景技術】
【０００２】
近年、テレビジョン放送のデジタル化によるチャンネル数の増加、及び通信のブロードバンド化による映像配信の増加等に伴って、ユーザが利用する映像コンテンツのデータ（動画データ）の量は増加している。また、ハードディスクレコーダなどの動画データを記録する機器が普及し、ハードディスクなどの記録媒体が大容量化することにより、ユーザは大量の動画データを記録して蓄積することができるようになっている。更に、ハードディスクレコーダなどの記録機器には、電子番組表を表示して録画予約を行う機能、及びキーワードを登録しておき自動的に番組を録画する機能等の種々の機能が搭載され、ユーザはより簡単に番組の録画を行うことができるようになっている。これらにより、従来のビデオテープなどを利用した番組の録画と比較して、より多くの動画データをユーザは記録機器に簡単に記録することができ、確実に視聴する番組のみを録画するという利用形態から関心のある番組をとりあえず記録して蓄積しておくという利用形態へ、ユーザによる記録機器の利用形態にも変化が生じている。
【０００３】
しかし、記録機器に多くの動画データを記録して蓄積した場合、ユーザが視聴の際に多くの動画データから所望の動画データを見つけ出すことが困難になるという問題が生じる。これに対しては、所望の動画データをユーザが容易に見つけ出して視聴を行うことを可能とするために、各動画データに関する映像（サムネイル）を一覧表示してユーザに所望の動画データを選択させる機能、所謂マルチ表示機能が有効な手段である。特に動画そのものをサムネイルとして一覧表示することによって、ユーザは視聴対象の動画データがあいまいな状況において、直感的に動画データの選択を行うことができるため、動画のサムネイルによるマルチ表示が注目されている。
【０００４】
１つの画面に複数の動画を一覧表示するマルチ表示を行う場合、動画毎の明るさ（輝度）及び色調等の差異、並びに各動画にて異なるタイミングで生じる明るさ及び色調等の変化によって、マルチ表示された画面がユーザにとって見難くなるという問題があり、これを解決することが望まれている。
【０００５】
特許文献１においては、マルチ画面同時表示中に各ウインドウの中からユーザが最も注目している注目ウインドウを特定し、注目ウインドウ以外に表示された非注目ウインドウのソース属性（動画像の動き量又は番組内容等）を判断し、ソース属性が問題のおきる可能性がある表示属性にあるときは、非注目ウインドウのウインドウサイズを小さくする、輝度を下げる又はコマ落とし表示にするなどの処理を行うことによって、非注目ウインドウに表示された動画の動き又は輝度変化等が激しい場合であっても、眼球疲労の発生などを低減させることができるマルチ画面表示装置が提案されている。
【特許文献１】特開２００１−１７５２３９号公報
【発明の開示】
【発明が解決しようとする課題】
【０００６】
視聴対象があいまいな状況においてユーザが動画データの検索を漠然と行う場合、動画の一覧表示によるマルチ表示では、各動画のそれぞれについての視認性と、表示された複数の動画の全体を俯瞰することができるという一覧表示の視認性とのバランスが重要である。
【０００７】
特許文献１に記載のマルチ画面表示装置は、非注目ウインドウのウインドウサイズを小さくする、輝度を下げる又はコマ落とし表示にするなど処理を行うことによって、注目ウインドウと非注目ウインドウを差別化することができるため、注目ウインドウの視認性を高めることができる。しかし、多数の動画を一覧表示する場合には、多数の非注目ウインドウ間の明るさの差異及び非注目ウインドウ毎に異なるタイミングで生じる明るさの変化等を補正又は調整することはできないため、表示された多数のウインドウの全体を俯瞰する一覧表示の視認性が損なわれるという問題がある。
【０００８】
１つの画面に一覧表示する動画の数が増すほど、各動画のシーンの変化にて生じる明るさ及び色調等の変化が１つの画面内の多数の箇所で断続的に発生する。特に、縦横に複数の動画を並べて一覧表示する際に、一の動画に明るさ及び色調等の急激な変化が生じた場合には、この動画に隣接する周囲の複数の動画の見易さが損なわれるという問題がある。
【０００９】
本発明は、斯かる事情に鑑みてなされたものであって、その目的とするところは、複数の動画を一覧表示する場合において、各動画の明るさ及び色調等の均衡を保つように、且つ、各動画で発生する明るさ及び色調等の急激な変化に対して隣接する周囲の動画の見易さを損なうことがないように、各動画の明るさ及び色調等の補正並びに各動画の配置等を行うことによって、各動画のそれぞれについての視認性と、全体を俯瞰する一覧表示の視認性とを両立し、ユーザが見やすい動画の一覧表示を行うことができる動画表示処理装置、動画表示方法、コンピュータプログラム及び記録媒体を提供することにある。
【００１０】
また、本発明の他の目的とするところは、上述の動画表示処理装置、動画表示方法、コンピュータプログラム及び記録媒体が行う動画の一覧表示に必要な情報を動画データに付与して多重化し、一覧表示に適した動画データを作成することができる動画データ多重化装置を提供することにある。
【課題を解決するための手段】
【００１１】
本発明に係る動画表示処理装置は、表示手段に複数の動画データに係る複数の動画を一画面に同時的に表示させる処理を行う動画表示処理装置において、各動画データの階調値に係る特徴量を基に、動画データの階調補正の基準値を算出する基準値算出手段と、算出された前記基準値を基に、動画データの階調値を補正する補正値を動画データ毎にそれぞれ算出する補正値算出手段と、算出された前記補正値に応じて、各動画データの階調値を補正する補正手段とを備えることを特徴とする。
【００１２】
また、本発明に係る動画表示処理装置は、前記特徴量が、前記動画データの明るさ及び／又は色調に係る量であることを特徴とする。
【００１３】
また、本発明に係る動画表示処理装置は、前記基準値算出手段が、複数の動画データに係る複数の特徴量を平均化して、前記基準値を算出するようにしてあることを特徴とする。
【００１４】
また、本発明に係る動画表示処理装置は、前記補正値算出手段が、動画データの特徴量を前記基準値に近付ける補正値を算出するようにしてあることを特徴とする。
【００１５】
また、本発明に係る動画表示処理装置は、前記基準値算出手段が、動画データの階調値と前記表示手段により表示される動画の表示階調との対応を予め記憶しておき、前記対応を基に、前記動画データの特徴量を前記表示手段により表示される動画の特徴量に変換し、変換した特徴量を基に前記基準値を算出するようにしてあることを特徴とする。
【００１６】
また、本発明に係る動画表示処理装置は、前記動画データの階調値の最大値及び／又は最小値を、所定の上限値及び／又は下限値に合わせて調整する調整手段を更に備えることを特徴とする。
【００１７】
また、本発明に係る動画表示処理装置は、前記動画は複数のシーンが連なって構成されており、前記シーンの変化を検出するシーン変化検出手段を更に備え、前記基準値算出手段は、前記シーンの変化が検出された場合に、前記基準値の更新を行うようにしてあることを特徴とする。
【００１８】
また、本発明に係る動画表示処理装置は、前記表示手段が前記複数の動画を並べて表示するようにしてあり、前記シーン変化検出手段がシーンの変化を検出した場合に、シーンの変化が生じた動画の特徴量と該動画に隣接して表示された他の動画の特徴量との差に応じて、各動画の表示速度を決定する表示速度決定手段を更に備え、該表示速度決定手段が決定した表示速度に応じて各動画を表示するようにしてあることを特徴とする。
【００１９】
また、本発明に係る動画表示処理装置は、前記動画データの特徴量を基に、各動画の表示位置を決定する表示位置決定手段を更に備え、該表示位置決定手段が決定した表示位置に応じて、前記表示手段に各動画を並べて表示させるようにしてあることを特徴とする。
【００２０】
また、本発明に係る動画表示処理装置は、前記動画データを構成する複数の画素の階調値の分布に応じて、前記動画データの特徴量を算出する特徴量算出手段を更に備えることを特徴とする。
【００２１】
また、本発明に係る動画データ多重化装置は、動画データを構成する複数の画素の階調値の分布を算出する分布算出手段と、前記分布を基に動画データに係る動画のシーンの変化を検出するシーン変化検出手段と、前記分布を基に前記動画データの特徴量を算出する特徴量算出手段と、前記動画データに前記シーン変化検出手段が検出したシーンの変化及び前記特徴量算出手段が算出した特徴量に係る情報を付与して、前記動画データを多重化する多重化手段とを備えることを特徴とする。
【００２２】
また、本発明に係る動画表示方法は、表示手段にて複数の動画データに係る複数の動画を一画面に同時的に表示する動画表示方法において、各動画データの階調値に係る特徴量を基に、動画データの階調補正の基準値を算出し、算出した前記基準値を基に、動画データの階調値を補正する補正値を動画データ毎にそれぞれ算出し、算出した前記補正値に応じて、動画データの階調値を補正し、階調値がそれぞれ補正された複数の動画データに係る複数の動画を同時的に表示することを特徴とする。
【００２３】
また、本発明に係るコンピュータプログラムは、コンピュータに、表示手段にて複数の動画データに係る複数の動画を一画面に同時的に表示させるコンピュータプログラムにおいて、コンピュータに、各動画データの階調値に係る特徴量を基に、動画データの階調補正の基準値を算出させるステップと、算出した前記基準値を基に、動画データの階調値を補正する補正値を動画データ毎にそれぞれ算出させるステップと、算出した前記補正値に応じて、動画データの階調値を補正させるステップとを含み、階調値がそれぞれ補正された複数の動画データに係る複数の動画を前記表示手段にて同時的に表示させることを特徴とする。
【００２４】
また、本発明に係る記録媒体は、上述のコンピュータプログラムが記録してあることを特徴とする。
【００２５】
本発明においては、まず、一覧表示する複数の動画に関する明るさ又は色調等の階調値に係る特徴量を取得して、動画データの階調補正の基準値を算出する。各動画データの特徴量は、動画データを構成する複数の画素の階調値の分布に応じて算出することができる。基準値の算出は、例えば各動画データから取得した複数の特徴量を平均化することで行うことができる。算出した基準値は、一覧表示する複数の動画の表示階調の目標値となるものである。次いで、算出した基準値を基に、階調値を補正するための補正値を動画データ毎に算出し、各動画データの階調値を補正値に基づいて補正する。例えば補正値は、基準値に対して動画データの明るさ又は色調等の差が小さくなるように、即ち明るさ又は色調等を基準値に近付けるように補正を行うことができる値を算出する。これにより、一覧表示する複数の動画の明るさ又は色調を基準値に近付けて補正することができ、各動画のそれぞれについての視認性が向上されると共に、全体を俯瞰する一覧表示の視認性が向上される。
【００２６】
また、各動画データの階調値の最大値及び／又は最小値を、所定の上限値及び／又は下限値に合わせて調整する処理を合わせて行うことによって、各動画の明るさ又は色調等をより均衡させることができる。また、各動画のシーンの変化を検出し、シーンが変化した場合に上述の基準値及び補正値を更新して動画データの補正を行う。更には、シーンの変化が生じた動画とこれに隣接する動画との表示速度を、各動画の明るさ又は色調等に応じて変化させてもよい。これらにより、動画のシーンの変化に伴って生じる明るさ又は色調等の急激な変化により視認性が低下することを抑制できる。また、各動画データの特徴量に応じて、一覧表示する動画の表示位置を決定し、特徴量に応じた動画の一覧表示を行って、全体を俯瞰する一覧表示の視認性を更に向上させることもできる。
【００２７】
また、上述の一覧表示を行うためには動画データの特徴量及びシーンの変化等の情報が必要である。動画表示処理装置が動画データからこれら必要な情報を算出する構成とすることもできるが、動画データの提供者などが動画データ多重化装置にて予め動画データにこれらの情報を動画データに付与しておくこともできる。これらの情報を動画データに予め付与する場合、動画データ多重化装置は元の動画データを構成する画素の階調値の分布を算出し、分布を基に特徴量の算出及びシーンの変化の検出等を行う。これにより動画データ多重化装置は、特徴量及びシーンの変化等の情報を例えばパケット化し、このパケットを動画のシーンの変化毎に動画データのパケット列に挿入することで動画データを多重化することができる。動画表示処理装置は、多重化された動画データから特徴量及びシーンの変化等の情報を取得し、上述の一覧表示を行うことができる。
【発明の効果】
【００２８】
本発明による場合は、一覧表示する動画データの明るさ又は色調等の階調値に係る特徴量を基に階調補正の基準値を算出し、この基準値を基に各動画データの階調値を補正するための補正値を算出して動画データの補正を行うことにより、一覧表示する複数の動画の明るさ又は色調等を基準値に近付けて補正することができ、複数の動画間での明るさ又は色調等の不均衡を解消することができるため、各動画のそれぞれについての視認性を向上することができ、一覧表示の全体の視認性を向上することができる。よって、ユーザは一覧表示された複数の動画を俯瞰して所望の動画を探し出すことを困難なく又はストレスを感じることなく行うことができ、マルチ表示機能の利便性を向上することができる。
【００２９】
また、本発明による場合は、動画データの階調値の分布から特徴量の算出及びシーンの変化の検出を行って、これらの情報を動画データに付与して多重化することにより、この動画データを取得した動画表示処理装置などが特徴量に基づいた動画の一覧表示を容易に行うことができるため、視認性の高い動画の一覧表示を確実に実現することができる。
【発明を実施するための最良の形態】
【００３０】
（実施の形態１）
以下、本発明をその実施の形態を示す図面に基づき具体的に説明する。なお、以下の実施の形態においては、本発明に係る動画表示処理装置をハードディスクレコーダに表示処理部として搭載した例を説明するが、これに限るものではない。図１は、本発明の実施の形態１に係るハードディスクレコーダ１の構成を示すブロック図である。ハードディスクレコーダ１は、制御部３、ネットワークＩ／Ｆ（インタフェース）４、チューナ５、入力部６、ハードディスク７、出力部８及び表示処理部１０等を備えており、ネットワークを介して取得した動画データ又はテレビ番組に係る動画データ等をハードディスク７に記録して蓄積し、ディスプレイ２に表示する機能を有している。
【００３１】
ネットワークＩ／Ｆ４は、例えばＬＡＮ（Local Area Network）ケーブルなどのネットワークケーブルを接続する接続端子を有しており、ネットワークケーブルを介して接続されたサーバ装置などとの間で、予め定められたプロトコルに応じてデータの送受信を行うようにしてある。特に、ネットワークＩ／Ｆ４は、サーバ装置などからネットワークを介して動画データを受信し、受信した動画データを入力部６へ与えるようにしてある。なお、本実施の形態においてはネットワークＩ／Ｆ４が有線の通信を行う構成とするが、これに限るものではなく、無線ＬＡＮなどにより無線にてネットワークに接続する構成としてもよい。また、ハードディスクレコーダ１は、ネットワークに接続する機能を有していない構成であってもよい。
【００３２】
チューナ５は、地上波デジタル放送、地上波アナログ放送又は衛星デジタル放送等のテレビジョン放送に係る電波を受信するものであり、受信したテレビ番組に係る動画データを入力部６へ与えるようにしてある。なお、ハードディスクレコーダ１に内蔵する態様でチューナ５を備える必要はなく、別機器のチューナをハードディスクレコーダ１に接続する構成としてもよい。また、ハードディスクレコーダ１がネットワークＩ／Ｆ４を備える場合には、ハードディスク７がチューナ５を備えない構成としてもよい。また、ハードディスクレコーダ１が複数のチューナ５を備える構成であってもよい。
【００３３】
入力部６は、ネットワークＩ／Ｆ４がネットワークを介して取得した動画データ、又はチューナ５が受信したテレビ番組に係る動画データを一時的に蓄えるバッファを有しており、バッファに蓄えられた動画データをハードディスク７に順次与えて記録を行うようにしてある。また、チューナ５がアナログ放送を受信するものである場合には、チューナ５から与えられたアナログの信号をデジタルの動画データに変換する機能を入力部６が有していてもよい。
【００３４】
ハードディスク７は、入力部６から与えられた動画データを記録する記録媒体であり、数百ＧＢ又はそれ以上の記録容量を有している。ハードディスク７は、制御部３の制御に応じて記録した動画データを読み出して表示処理部１０へ与えるようにしてある。また、複数の動画データに係る複数の動画をディスプレイ２に表示する場合には、ハードディスク７は複数の動画データを並行して読み出し、複数の動画データを同時的に表示処理部１０へ与えることができるようにしてある。
【００３５】
表示処理部１０は、制御部３の制御に応じてハードディスク７から読み出された動画データに復号、明るさ補正及び色調補正等の種々の画像処理を施すようにしてある。１つの動画データに係る１つの動画をディスプレイ２に表示する場合には、ハードディスク７から読み出された１つの動画データを表示処理部１０が復号し、ユーザによる画質設定などに応じて明るさ補正及び色調補正等を施して、画像処理後の１つの動画データを出力部８へ与えるようにしてある。複数の動画データに係る複数の動画をディスプレイ２に一覧表示する場合には、ハードディスク７から与えられる複数の動画データを並行して復号すると共に、後述の方法により明るさ補正及び色調補正等を行って、ディスプレイ２の画面内に収まるように縮小した複数の動画（動画サムネイル）を並べた動画データを生成し、出力部８へ与えるようにしてある。
【００３６】
出力部８は、接続ケーブルを介してディスプレイ２に接続するための接続端子を有しており、表示処理部１０から与えられた動画データをディスプレイ２の表示に適した映像信号に変換し、接続ケーブルを介してディスプレイ２に出力するようにしてある。ディスプレイ２は、液晶ディスプレイ又はＣＲＴディスプレイ等であり、ハードディスクレコーダ１の出力部８から与えられた映像信号を基に表示を行うことができる。
【００３７】
制御部３は、ＣＰＵ（Central Processing Unit）又はＭＰＵ（Micro Processing Unit）等の処理装置、及びＥＥＰＲＯＭ（Electrically Erasable Programmable Read Only Memory）又はフラッシュメモリ等の記憶素子等により構成されており、記憶素子に予め記憶された制御プログラムを実行することによって、ハードディスクレコーダ１内のハードウェア各部の制御処理及び種々の演算処理等を行うようにしてある。例えば、制御部３は、入力部６を制御してネットワークＩ／Ｆ４又はチューナ５のいずれをハードディスク７に記録する動画データの入力元とするかを切り替えることができ、ハードディスク７を制御して読み出して表示する動画データを選択することができ、又は表示処理部１０を制御して表示する動画に施す画像処理の内容を変更することができるなど、種々の処理を行うことができるようにしてある。特に、制御部３は、１つの動画データに係る動画をディスプレイ２に単体表示するか、又は複数の動画データに係る複数の動画を一覧表示するかの切り替えを、ハードディスク７及び表示処理部１０を制御することによって行うことができるようにしてある。
【００３８】
図２は、本発明の実施の形態１に係る表示処理部１０の構成を示すブロック図である。なお、本図に示す表示処理部１０の各機能ブロックは、ハードウェアとして実現されるものであってもよく、ソフトウェアとして実現されるものであってもよい。また、本図においては、複数の動画の一覧表示に係る機能ブロックを主として図示してあり、１つの動画を表示する通常表示などのその他の機能に係る機能ブロックは図示を省略してある。表示処理部１０は、複数の復号部１１、これと同数の補正部２０、基準値算出部３０、バッファメモリ１２、出力切替部１３、表示位置決定部１４及び動画出力部１５等により構成されている。
【００３９】
表示処理部１０には、ハードディスク７から上述のように複数の動画データを並行して与えることができるようにしてある。また、ハードディスク７には、動画データと共にこの動画データの明るさ（輝度）又は色調に関する特徴量と、この動画データに係る動画に含まれる複数のシーンの境界（シーンの変化位置）に係る情報とが記憶してあり、動画データを読み出して表示処理部１０へ与える場合には、特徴量及びシーン境界を共に読み出して表示処理部１０へ与えるようにしてある。
【００４０】
明るさ又は色調に関する特徴量は、動画データに含まれるシーン毎に算出した明るさ又は色調であり、例えばフレーム単位で明るさ又は色調の平均値を算出することによって取得することができる。シーン境界は、動画データに含まれる複数のシーンの開始位置を示す情報であり、例えばシーンの先頭をなすフレームの番号又はタイムスタンプ等である。なお、実施の形態１においては、動画データの特徴量及びシーン境界は、この動画データの提供者が予め作成するものとし、ネットワークＩ／Ｆ４又はチューナ５にて動画データを取得した場合にこれらの情報を共に取得し、ハードディスク７に記録されるものとする。
【００４１】
ネットワークＩ／Ｆ４又はチューナ５にて取得してハードディスク７に記録した動画データは、所定の符号化方式により圧縮された動画データである。表示処理部１０の復号部１１は、ハードディスク７から読み出された動画データを所定の符号化方式に従って復号し、補正部２０へ復号した動画データを与えるようにしてある。復号部１１は、予め定められた一又は複数の符号化方式の動画データを復号するハードウェアとして構成してもよく、又は、異なる符号化方式に対応した複数の復号プログラムを予め記憶しておき、与えられた動画データの符号化方式に応じて復号プログラムを読み出して実行する構成としてもよい。動画データの符号化方式には、例えばＭＰＥＧ−１、ＭＰＥＧ−２、ＭＰＥＧ−４若しくはＨ．２６４／ＡＶＣ等の国際標準化された方式であってもよく、又は独自に規格化された方式であってもよい。復号部１１は表示処理部１０に複数備えられているため、表示処理部１０はハードディスク７から読み出された複数の動画データを並列して復号することができる。
【００４２】
補正部２０は、復号部１１にて復号された動画データと、この動画データに係る特徴量及びシーン境界の情報と、基準値算出部３０が算出した基準値とが入力されており、これらの情報を基に動画データの階調値を補正して出力するようにしてある。表示処理部１０は復号部１１と同数の補正部２０を備えており、入力された複数の動画データをその特徴量が均衡するように各補正部２０にて補正するようにしてある。複数の動画データの特徴量を均衡させるための補正の基準となる値が基準値算出部３０にて算出される基準値である。基準値算出部３０は、複数の補正部２０から各動画データの特徴量がそれぞれ入力されており、これらの複数の特徴量から補正部２０の補正の基準をなす基準値を算出して、各補正部２０へ与えるようにしてある。
【００４３】
図３は、本発明の実施の形態１に係る表示処理部１０の補正部２０の構成を示すブロック図であり、図４は、本発明の実施の形態１に係る表示処理部１０の基準値算出部３０の構成を示すブロック図である。補正部２０は、階調調整部２１、シーン変化検出部２２、出力切替部２３、統計分析部２４、補正値算出部２５及び階調補正部２６等を有している。また、基準値算出部３０は、色調整部３１、輝度変換テーブル３２、輝度調整部３３及び輝度逆変換テーブル３４等を有している。
【００４４】
補正部２０の階調調整部２１には、復号部１１にて復号された動画データがフレーム毎に（フレームデータとして）入力されている。階調調整部２１は、入力された動画データの階調値が予め定められた範囲内となるように階調値を調整し、調整後の動画データを統計分析部２４及び階調補正部２６へ出力するようにしてある。例えば階調調整部２１は、入力された動画データの最大階調値Ｇｍａｘ及び最小階調値Ｇｍｉｎが、予め定められた上限値Ｔｍａｘ及び下限値Ｔｍｉｎの範囲内となるように、階調値をＧｍａｘ＝Ｔｍａｘ、Ｇｍｉｎ＝Ｔｍｉｎとなるように調整するようにしてある。最大階調値Ｇｍａｘ及び最小階調値Ｇｍｉｎは、特徴量として階調調整部２１に与えられる構成であってもよく、階調調整部２１が与えられた動画データから算出する構成であってもよい。また、階調調整部２１は、動画データの１つのフレームが入力される毎に、この旨をシーン変化検出部２２に通知するようにしてある。
【００４５】
図５は、階調調整部２１による階調調整処理を説明するための模式図である。図示のグラフは、横軸に階調調整部２１に入力された動画データの階調値を示し、縦軸に階調調整部２１にて調整された出力の動画データの階調値を示してある。また、図示のグラフ中の破線は階調値の補正を行わない場合である。例えば、入力された動画データの最大階調値Ｇｍａｘが上限値Ｔｍａｘより大きい場合（図５（ａ）参照）、階調調整部２１は最大階調値Ｇｍａｘが上限値Ｔｍａｘまで下がるように階調値を調整するようにしてある。この場合、最大階調値Ｇｍａｘを上限値Ｔｍａｘに低減したのと同じ比率でその他の階調値を調整すればよい。
【００４６】
同様に、入力された動画データの最大階調値Ｇｍａｘが上限値Ｔｍａｘより小さい場合（図５（ｂ）参照）、階調調整部２１は最大階調値Ｇｍａｘが上限値Ｔｍａｘまで上がるように階調値を調整するようにしてある。入力された動画データの最小階調値Ｇｍｉｎが下限値Ｔｍｉｎより小さい場合（図５（ｃ）参照）、階調調整部２１は最小階調値Ｇｍｉｎが下限値Ｔｍｉｎまで上がるように階調値を調整するようにしてある。また、入力された動画データの最小階調値Ｇｍｉｎが下限値Ｔｍｉｎより大きい場合（図５（ｄ）参照）、階調調整部２１は最小階調値Ｇｍｉｎが下限値Ｔｍｉｎまで下がるように階調値を調整するようにしてある。
【００４７】
階調調整部２１が調整の基準として用いる上限値Ｔｍａｘ及び下限値Ｔｍｉｎは、設計段階で決定された固定値として予め記憶される構成であってもよく、ユーザが任意に設定の変更を行うことができる構成としてもよい。ただし、表示処理部１０は補正部１０を複数有するため階調調整部２１は複数存在するが、各諧調調整部２１は同じ上限値Ｔｍａｘ及び下限値Ｔｍｉｎを用いるようにしてある。このように、表示処理部１０では、入力された複数の動画データの全てに対して、各階調調整部２１にて一律に階調値の調整を行うことができ、複数の動画データの階調値の範囲を一律に揃えることができる。
【００４８】
また、補正部２０のシーン変化検出部２２には、階調調整部２１に入力された動画データに係るシーン境界に係る情報と、階調調整部２１からの動画データの１つのフレームが入力された旨の通知とが与えられている。例えばシーン境界は動画データのフレーム番号として与えられており、シーン変化検出部２２は階調調整部２１からの通知に基づいて動画データのフレーム数をカウントし、現時点で入力された動画データのフレームがシーン境界に相当するか否かを判定することによって、シーンの変化を検出するようにしてある。また、シーン変化検出部２２は、動画データの最初のフレームについてはシーン境界に相当すると判定するようにしてある。
【００４９】
出力切替部２３には、階調調整部２１に入力された動画データに係る特徴量が与えられており、シーン変化検出部２２の制御に応じて、与えられた特徴量を基準値算出部３０へ出力するか否かを切り替えるようにしてある。シーン変化検出部２２は、現時点での動画データのフレームがシーン境界に相当すると判定し、シーンの変化を検出した場合には、出力切替部２３に特徴量を出力させ、シーンの変化を検出しない場合には出力切替部２３に特徴量を出力させないように、出力切替部２３の制御を行うようにしてある。なお、動画データの最初のフレームにおいても、階調調整部２１からシーン変化検出部２２への通知が行われ、シーン変化検出部２２は出力切替部２３を制御して特徴量の出力を行うようにしてある。
【００５０】
統計分析部２４は、階調調整部２１が階調値を調整した動画データがフレーム毎に与えられる。動画データの１つのフレームは水平方向及び垂直方向に並んだ画素の集まりであり、統計分析部２４は各画素の階調値と画素数とを対応付けたヒストグラムを生成するようにしてある。統計分析部２４は、入力された動画データのフレームから各画素の階調値を順次取得し、各階調値毎に画素数をカウントすることによってヒストグラムを生成することができる。ただし、統計分析部２４はヒストグラムを生成する際に画素数のカウントを１つの階調値毎に行うのではなく、所定の階調範囲（例えば階調値０〜３、４〜７、８〜１１…）毎にカウントを行う構成としてもよい。統計分析部２４は、動画データの１つのフレームについてヒストグラムを生成し、生成したヒストグラムを補正値算出部２５へ与えるようにしてある。補正値算出部２５は、統計分析部２４からのヒストグラムと、基準値算出部３０からの基準値とが与えられた場合に、補正値の算出を開始するようにしてある。
【００５１】
基準値算出部３０は、各補正部２０から出力された各動画データの特徴量が与えられており、各動画データの特徴量から補正部２０が補正を行うための基準値を算出するようにしてある。図４に示す例は、基準値算出部３０に特徴量として動画データの明るさに係る特徴量（以下、輝度特徴量という）と、色調に係る特徴量（以下、色特徴量という）とが共に与えられる場合である。基準値算出部３０は、与えられた各特徴量を輝度特徴量及び色特徴量に分離して、輝度特徴量を輝度変換テーブル３２へ与えると共に、色特徴量を色調整部３１へ与えるようにしてある。
【００５２】
輝度変換テーブル３２は、例えばマスクＲＯＭ（Read Only Memory）又はＥＥＰＲＯＭ（Electrically Erasable Programmable ROM）等の不揮発性のメモリ素子で構成されており、入力値をアドレスとして記憶された値を読み出すことによって出力値を取得することができる。輝度変換テーブル３２には、ディスプレイ２での見た目での明るさ（表示輝度）を、動画データの輝度特徴量に対してそれぞれ記憶してある。よって、輝度算出部３０に入力された輝度特徴量をアドレスとして輝度変換テーブル３２にアクセスすることで、対応する表示輝度を取得することができる、即ち輝度特徴量を表示輝度に変換することができる。輝度変換テーブル３２では、基準値算出部３０に入力された複数の輝度特徴量についてそれぞれ変換を行い、変換後の複数の表示輝度を輝度調整部３３へ与えるようにしてある。
【００５３】
輝度調整部３３は、与えられた複数の表示輝度の例えば相加平均を算出し、算出した平均値を基準値として輝度逆変換テーブル３４へ出力するようにしてある。ただし、基準値の算出方法は相加平均によるものでなくてもよく、例えば相乗平均又は加重平均等のその他の算出方法で基準値を算出してもよい。
【００５４】
輝度逆変換テーブル３４は、輝度変換テーブル３２と同様に、不揮発性のメモリ素子で構成されたテーブルである。輝度逆変換テール３４には、輝度変換テーブル３２の逆変換を行うための値が予め記憶してあり、基準値として算出された表示輝度を動画データの階調値に変換するようにしてある。
【００５５】
色調整部３１は、与えられた複数の色特徴量の例えば相加平均を算出し、算出した平均値を基準値として出力するようにしてある。色調整部３１による基準値の算出方法は、輝度調整部３３による算出方法と同じであってよい。基準値算出部３０は、輝度逆変換テーブル３４が出力する輝度の基準値と、色調整部３１が出力する色調の基準値とを、表示処理部１０に備えられた各補正部２０へそれぞれ与えるようにしてある。
【００５６】
基準値算出部３０にて算出された基準値は、各補正部２０の補正値算出部２５に入力される。補正値算出部２５は、基準値算出部３０からの基準値と、統計分析部２４からのヒストグラムとが与えられており、ヒストグラムに基づいて動画データの特徴量が基準値に近づくように各階調値を補正するための補正値を算出するようにしてある。
【００５７】
図６は、補正値算出部２５による補正値の算出方法を説明するための模式図であり、補正値算出部２５が行う処理を（ａ）〜（ｃ）のアルファベット順にグラフ化して模式的に示したものである。図６中の左側には動画データの階調値のヒストグラムを示してあり、横軸が階調値ｘであり、縦軸が度数Ｈ（ｘ）である。また、図中の右側には補正前後の動画データの階調値の対応をグラフ化して示してあり、横軸に補正前の階調値を入力階調として示し、縦軸に補正後の階調値を出力階調として示してある。また、図６には動画データの階調値を高めるように補正する場合を一例として示してある。
【００５８】
統計分析部２４から与えられるヒストグラムは、例えば図６（ａ）に示すヒストグラムである。補正値算出部２５は、与えられたヒストグラムから、相対的に度数の少ない区間を抽出する。図６においては、補正値算出部２５が度数の少ない区間として例えば階調値Ａ〜階調値Ｂの区間を抽出している。
【００５９】
次いで、補正値算出部２５は、階調値Ａ〜階調値Ｂの区間に含まれる度数の総数を変えることなく、この区間の分布が階調値の高い方へ狭まるように圧縮する。図６（ｂ）に、階調値Ａ〜階調値Ｂの区間を階調値Ａ´〜階調値Ｂの区間に圧縮したヒストグラムを示してある。
【００６０】
次いで、補正値算出部２５は、分布の存在しない階調値Ａ〜階調値Ａ´の区間を埋めるように、階調値Ａ以下の分布を階調値の高い方へ階調値Ａ´までシフトさせる。図６（ｃ）に、階調値Ａ以下の分布をシフトさせたヒストグラムを示してある。このヒストグラムに応じた出力階調となるように動画データの階調値（入力階調）を補正することで、動画データの階調値を全体的に高めることができる。補正値算出部２５は、この補正を実現する補正値を算出するようにしてある。
【００６１】
ここで、補正値算出部２５が算出する補正値は補正前の階調値に対する補正後の階調値（即ち、図６（ｃ）の右側に示したグラフの対応関係）とし、補正値算出部２５は補正前後の階調値を対応付けた変換テーブルを作成して階調補正部２６へ与えるようにしてある。ただし、補正値の構成はこれに限るものではなく、補正値算出部２５が各階調値に一律に加算する補正値を算出して階調補正部２６へ与える構成としてもよく、各階調値に加算する補正値を階調値毎に算出して複数の補正値を階調補正部２６へ与える構成としてもよい。
【００６２】
図７は、補正値算出部２５が補正値として作成する変換テーブルを説明するための模式図であり、（ａ）は変換テーブルを表として示したものであり、（ｂ）は変換テーブルをグラフとして示したものである。ただし、図７においては、説明を簡略化するために、動画データの階調値を８階調としてある。また、図７には１パターンの入力階調に対して２パターンの出力階調（出力階調１及び出力階調２）が示してあるが、実際の変換テーブルにはいずれか１つのパターンの出力階調が記憶されている。
【００６３】
図示の変換テーブルの出力階調１は、入力階調をそのまま出力としたものである。これに対して出力階調２は、”０”〜”５”の入力階調に対しては”２”を加算して出力階調とし、”６”及び”７”の入力階調に対しては出力階調を”７”としてある。出力階調１の値を変換テーブルに記憶しておくことによって、動画データを元の階調値で表示することができる。出力階調２の値を変換テーブルに記憶しておくことによって、動画データの階調値を全体的に高めることができる。
【００６４】
階調補正部２６には、階調調整部２１から階調が調整された動画データが与えられると共に、補正値算出部２５から補正値として変換テーブルが与えられる。階調補正部２６は、与えられた動画データの各画素の階調値を変換テーブルに基づいて順次変換することによって、動画データの階調補正を行うようにしてある。階調補正部２６にて補正された動画データは、表示処理部１０のバッファメモリ１２へ出力される。
【００６５】
バッファメモリ１２は、補正部２０にて補正された動画データをフレーム単位で記憶するようにしてある。表示処理部１０は複数の補正部２０を有しており、複数の動画データを並行して補正することができるため、バッファメモリ１２は複数の補正部２０から出力される動画データを（少なくとも１フレームずつ）記憶することができる十分な記憶容量にしてある。バッファメモリ１２に記憶された動画データは、出力切替部１３により読み出される。
【００６６】
出力切替部１３は、表示位置決定部１４による制御に従って、一覧表示の表示位置に応じた順に、バッファメモリ１２に記憶された複数の動画データから１つの動画データを読み出し、動画出力部１５へ出力するようにしてある。即ち、出力切替部１３は、バッファメモリ１２に記憶された複数の動画データを切り替えて動画出力部１５へ出力する処理を行うようにしてある。
【００６７】
表示位置決定部１４は、複数の動画を一覧表示する際に、例えば動画データの名称の五十音順、動画データの作成された日時の順、データ量の順、又はユーザが予め定めた表示順等に複数の動画を並べるように、各動画の表示位置を決定するようにしてある。表示位置決定部１４は、決定した表示位置に応じて出力切替部１３の切り替えを制御し、バッファメモリ１２に記憶された複数の動画データを、決定した表示位置に応じた順序で動画出力部１５へ与えるようにしてある。
【００６８】
動画出力部１５は、出力切替部１３から与えられた動画データに係る動画を、与えられた順に縦横に並べた一覧表示用の動画データを作成して出力するようにしてある。この際に、動画出力部１５は、複数の動画を一覧表示するために、各動画の縮小処理などを行ってもよい。一覧表示の表示態様は限定されるものではなく、上述のように複数の動画を縦横に並べて表示する表示態様であってもよく、例えばユーザにより選択された１つの動画を中央に主画面として大きく表示し、その他の複数の動画をその周囲に子画面として小さく表示する表示態様であってもよい。動画出力部１５が作成した一覧表示用の動画データは、ハードディスクレコーダ１の出力部８にてディスプレイ２の表示に適した信号に変換されてディスプレイ２へ出力され、ディスプレイ２がこの信号に応じた表示を行うことによって、ディスプレイ２に複数の動画の一覧表示が行われる。
【００６９】
以上の表示処理部１０による処理は、ハードディスクレコーダ１にて複数の動画の一覧表示を開始するときに行われるようにしてあり、各動画は明るさ又は色調に係る特徴量の差に起因する不均衡が補正されて一覧表示が開始される。また、表示処理部１０では、複数備えられた補正部２０の少なくとも１つにて、シーン変化検出部２２が動画データのシーンの変化を検出した場合に、基準値算出部３０による基準値の算出、及び補正値算出部２５による補正値の算出（変換テーブルの作成）を行って、値を更新するようにしてある。よって、一覧表示された動画のいずれかのシーンが変化した場合には明るさ又は色調等のバランスが変化するが、シーンの変化に応じて基準値及び補正値が更新されるため、バランスの変化による明るさ又は色調等の不均衡を平滑化することができる。
【００７０】
なお、シーンの変化に伴って基準値及び補正値を更新した場合、シーンの変化が生じた動画については更新した補正値を直ぐに適用して補正処理を行うことが望ましい。しかし、この動画と共に一覧表示された他の動画については、更新した補正値を直ぐに適用して補正処理を行うと、シーンが変化していないにもかかわらず明るさ又は色調等が急激に変化する虞がある。そこで、シーンの変化が生じていない他の動画については、補正値算出部２５が以下の（１）式に基づいて補正値を徐々に変化させることによって、動画の明るさ又は色調等を徐々に変化させるようにすることが好ましい。
【００７１】
Ｃａ［ｘ］＝ｋ×Ｃｎ［ｘ］＋（１−ｋ）×Ｃｂ［ｘ］      …（１）
０≦ｋ≦１
ただし、（１）式において、値が更新される前の基準値に基づく補正値をＣｂ［ｘ］とし、値が更新された基準値に基づく補正値をＣｎ［ｘ］とする。また、補正値算出部２５は、変数ｋを時間経過と共に０から１まで変化させるものとする。
【００７２】
図８は、動画の一覧表示の表示例を示す模式図である。図示の例では、ディスプレイ２の画面の縦横にそれぞれ６個ずつの動画を並べて、３６個の動画をマトリクス状に一覧表示してある。図８（ａ）は、各動画データの特徴量に基づく階調値の補正を行わずに複数の動画を一覧表示した例である。これに対して図８（ｂ）は、上述の方法により動画データの階調値を補正して動画を一覧表示した例である。階調値を補正して一覧表示を行った場合は、隣接する動画の明るさ又は色調等の差異が少なく、見易さが向上している。
【００７３】
図９は、本発明の実施の形態１に係る表示処理部１０が一覧表示の開始時に行う処理の手順を示すフローチャートである。動画の一覧表示を開始する場合には、まず、ハードディスク７から読み出された複数の動画データが表示処理部１０に備えられた複数の復号部１１へそれぞれ与えられるため、表示処理部１０は各復号部１１にて与えられた動画データの先頭フレームについて復号を行って（ステップＳ１）、復号した動画データを補正部２０へ与える。
【００７４】
次いで、表示処理部１０は、補正部２０の階調調整部２１にて、動画データの階調値を予め定められた上限値Ｔｍａｘ及び下限値Ｔｍｉｎの範囲に収まるように調整して（ステップＳ２）、統計分析部２４及び階調補正部２６へ与える。次いで、表示処理部１０は、統計分析部２４にて、階調値が調整された動画データのヒストグラムを生成して（ステップＳ３）、補正値算出部２５へ与える。
【００７５】
また、表示処理部１０は、シーン変化検出部２２にて動画データの最初のフレームをシーンの変化として検出し、動画データと共に与えられる特徴量を出力切替部２３から基準値算出部３０へ出力する（ステップＳ４）。次いで、表示処理部１０は、基準値算出部３０にて、各補正部２０から与えられた複数の特徴量を平均化することによって基準値を算出し（ステップＳ５）、補正部２０の補正値算出部２５へ与える。
【００７６】
次いで、表示処理部１０は、補正値算出部２５にて、統計分析部２４から与えられたヒストグラム及び基準値算出部３０から与えられた基準値を基に補正値を算出し（ステップＳ６）、算出した補正値を変換テーブルとして階調補正部２６へ与える。次いで、表示処理部１０は、階調補正部２６にて、補正値算出部２５から補正値として与えられた変換テーブルを基に、階調調整部２１から与えられる動画データの階調値の補正を開始し（ステップＳ７）、処理を終了する。階調補正部２６にて補正を開始することにより、補正部２０から動画データが出力されてバッファメモリ１２に蓄積され、出力切替部１３、表示位置決定部１４及び動画出力部１５により一覧表示用の動画データが生成されて、ディスプレイ２にて動画の一覧表示が開始される。その後、表示処理部１０は、入力される複数の動画データにてシーンの変化が生じるまで、ステップＳ６にて算出した補正値に基づく階調値の補正を行う。
【００７７】
図１０は、本発明の実施の形態１に係る表示処理部１０が動画のシーンの変化を検出した場合に行う処理の手順を示すフローチャートである。階調補正部２６にて階調値の補正を開始した後、表示処理部１０は、各補正部２０のシーン変化検出部２２にて動画データにシーンの変化が生じたか否かを調べ（ステップＳ２１）、いずれの動画データにもシーンの変化が生じていない場合には（Ｓ２１：ＮＯ）、シーンの変化が生じるまで既に算出した補正値に基づく階調値の補正を継続して行う。
【００７８】
動画データにシーンの変化が生じた場合（Ｓ２１：ＹＥＳ）、表示処理部１０は、シーン変化検出部２２が出力切替部２３を制御することにより、動画データと共に入力された特徴量を出力切替部２３から基準値算出部３０へ出力する（ステップＳ２２）。次いで、表示処理部１０は、基準値算出部３０にて、各補正部２０から与えられた複数の特徴量を平均化することによって基準値を算出し（ステップＳ２３）、補正部２０の補正値算出部２５へ与える。
【００７９】
次いで、表示処理部１０は、補正値算出部２５にて、統計分析部２４から与えられたヒストグラム及び基準値算出部３０から与えられた基準値を基に補正値を算出し（ステップＳ２４）、算出した補正値を変換テーブルとして階調補正部２６へ与えて補正値の更新を行って（ステップＳ２５）、処理を終了する。ただし、ステップＳ２５での補正値の更新は、シーンの変化を検出した補正部２０では補正値の算出直後に行うが、それ以外の補正部２０では上述の（１）式に基づいて補正値を徐々に更新する。
【００８０】
以上の構成の実施の形態１に係るハードディスクレコーダ１においては、ディスプレイ２に複数の動画を一覧表示する場合に、各動画データの特徴量を基準値算出部３０にて平均化して基準値を算出し、各補正部２０にて特徴量を基準値に近付ける補正値を算出して動画データの階調値の補正を行う構成とすることにより、一覧表示する複数の動画の明るさ又は色調等を基準値に近付けて補正することができ、複数の動画間での明るさ又は色調等の不均衡を解消することができる。よって、ディスプレイ２に一覧表示した各動画のそれぞれについての視認性を向上することができ、且つ、一覧表示の全体の視認性を向上することができるため、ユーザは一覧表示された複数の動画を俯瞰して所望の動画を探し出すことを困難なく又はストレスを感じることなく行うことができ、マルチ表示機能の利便性を向上することができる。
【００８１】
また、各動画データの階調値が上限値Ｔｍａｘ及び下限値Ｔｍｉｎの範囲に収まるように補正部２０の階調調整部２１にて調整する構成とすることにより、各動画の明るさ又は色調等をより均衡させることができる。また、補正部２０のシーン変化検出部２２にて各動画データのシーンの変化を検出し、シーンが変化した場合に基準値及び補正値を更新する構成とすることにより、動画のシーンの変化に伴って生じる明るさ又は色調等の急激な変化により視認性が低下することを抑制できる。
【００８２】
なお、本実施の形態においては、ハードディスクレコーダ１はハードディスク７から複数の動画データを並行して読み出して表示処理部１０へ与える構成としたが、これに限るものではなく、ハードディスク７からの動画データの読出速度及び表示処理部１０の処理速度等が十分に高速な場合には、ハードディスク７から１つの動画データを順番に読み出して表示処理部１０へ与える構成であってもよい。この場合、表示処理部１０は復号部１１及び補正部２０を１つのみ備えて、複数の動画データを時分割で処理する構成としてもよい。
【００８３】
また、補正部２０のシーン変化検出部２２にて動画データのシーンの切り替えを検出した場合にのみ出力切替部２３が特徴量を基準値算出部３０へ出力する構成としたが、これに限るものではなく、複数の特徴量を常に基準値算出部３０へ入力しておき、シーン変化検出部２２によるシーン変化の検出結果のみを基準値算出部３０へ通知し、基準値算出部３０がシーン変化の通知を受けた場合に基準値の算出を行う構成としてもよい。また、基準値算出部３０では、特徴量として輝度特徴量及び色特徴量の２つについて基準値を算出する構成としたが、これに限るものではなく、いずれか一方の特徴量のみについて基準値を算出する構成としてもよい。また、基準値算出部３０では、輝度特徴量を輝度変換テーブル３２にて表示輝度に変換した後に基準値の算出を行う構成としたが、これに限るものではなく、変換を行わずに直接的に基準値の算出を行う構成としてもよい。
【００８４】
（変形例）
上述の実施の形態１においては、本発明の動画表示処理装置をハードディスクレコーダに表示処理部として搭載した構成について説明したが、これに限るものではなく、動画を一覧表示することができる種々の機器に本発明を適用することができる。図１１は、本発明の実施の形態１の変形例に係る動画表示処理装置の構成を示すブロック図である。変形例に係る動画表示処理装置は、上述の表示処理部１０の機能をソフトウェアとして実現した構成であり、動画表示プログラム１１０をＰＣ（パーソナルコンピュータ）１０１のＣＰＵ１０２にて実行することにより、ＣＰＵ１０２が表示処理部１０として動作し、ＰＣ１０１を動画表示処理装置としてユーザが利用することができる。
【００８５】
図示のＰＣ１０１は、汎用的なコンピュータの構成をなしており、各種の演算処理及び制御処理等を行うＣＰＵ１０２、データ又はプログラム等を一時的に記憶するＳＲＡＭ（Static Random Access Memory）又はＤＲＡＭ（Dynamic Random Access Memory）等のメモリ１０３、液晶ディスプレイなどの表示部１０４、マウス及びキーボード等の操作部１０５、ＬＡＮ（Local Area Network）又はインターネット等のネットワークＮＷに接続するためのネットワークＩ／Ｆ１０６、ＣＤ−ＲＯＭ又はＤＶＤ−ＲＯＭ等の記録媒体１６０を装着してデータの読み出しを行うディスクドライブ１０７、並びに各種のデータ及びプログラムを記憶するハードディスク１０８等により構成されている。
【００８６】
動画表示プログラム１１０は例えば記録媒体１６０に記録されて提供されるものであり、ユーザは記録媒体１６０をディスクドライブ１０７に装着して動画表示プログラム１１０をハードディスク１０８にインストールすることができる。その後、ＣＰＵ１０２がハードディスク１０８から動画表示プログラム１１０を読み出して実行することによって、ハードディスク１０８にネットワークＮＷを介してダウンロードされた複数の動画データ１５０を表示部１０４に一覧表示することができる。この際、ＣＰＵ１０２は表示処理部１０として動作し、上述のハードディスクレコーダ１の表示処理部１０と同様に、各動画データの特徴量に基づく基準値及び補正値の算出を行って各動画データの階調値を補正して一覧表示を行うことができる。
【００８７】
なお、本変形例においては、動画表示プログラム１１０をＣＤ−ＲＯＭ又はＤＶＤ−ＲＯＭ等の記録媒体１６０にて提供する構成としたが、これに限るものではなく、メモリカード、可搬型の磁気ディスク又はＭＯなどの光磁気ディスク等の他の記録媒体にて提供する構成としてもよく、ネットワークＮＷを介して動画表示プログラム１１０をダウンロードする構成としてもよい。
【００８８】
（実施の形態２）
図１２は、本発明の実施の形態２に係る表示処理部２１０の構成を示すブロック図である。実施の形態２に係る表示処理部２１０は、実施の形態１に係る表示処理部１０に速度決定部２１７を追加した構成である。速度決定部２１７は、一覧表示する複数の動画データの特徴量に基づいて、各動画データに係る動画の表示（再生）速度を決定し、各動画データを復号する復号部２１１へ決定した表示速度を通知するようにしてある。復号部２１１は、速度決定部２１７から通知された表示速度に応じて動画データの復号速度を調整するようにしてあり、これにより各動画データに係る動画の表示速度が調整される。なお、表示処理部２１０が一覧表示を開始する場合には、各動画の表示速度は全て予め定められた初期速度であり、いずれかの補正部２０にて動画データのシーンの変化が検出された場合に速度決定部２１７による速度の決定を行い、シーンが変化した動画の表示速度を調整するようにしてある。
【００８９】
速度決定部２１７には、表示処理部２１０に複数備えられた補正部２０から各動画データに係る特徴量が与えられている。いずれかの動画データのシーンが変化して補正部２０から新たな特徴量が速度決定部２１７に与えられた場合、速度決定部２１７は各動画の表示速度決定処理を行う。表示速度決定処理において速度決定部２１７は、まず、シーンが変化した動画データと、これに隣接して一覧表示される周囲の４つ又は８つの動画データとの間で、特徴量の差分を算出するようにしてある。次いで、速度決定部２１７は、算出した差分が予め定められた閾値を超えるか否かを判定し、差分が閾値を超える場合には表示速度を変更するために表示速度を決定して、シーンが変化した動画データを復号する復号部２１１へ表示速度を通知し、速度を調整するようにしてある。
【００９０】
図１３は、速度決定部２１７による表示速度の決定方法を説明するための模式図であり、特徴量の差分ｄと表示速度ｓとの対応をグラフとして示したものである。図１３（ａ）に示す例では、速度決定部２１７は、特徴量の差分ｄが閾値ｄ０を超えるまでは表示速度ｓをｓ０（初期速度）と決定し、差分ｄが閾値ｄ０を越えた後は線形的に表示速度ｓを低減（低速化）するようにしてある。また、図１３（ｂ）に示す例では、速度決定部２１７は、差分ｄが閾値ｄ０を越えた後、非線形的に表示速度ｓを低減するようにしてある。このように、シーンが変化した動画データに係る動画の表示速度を周囲の動画の特徴量との差分に応じて低減することによって、シーンの変化により動画の明るさ又は色調等が急激に変化した動画の表示速度を遅くすることができ、一覧表示の見易さを改善することができる。
【００９１】
図１４は、本発明の実施の形態２に係る表示処理部２１０が行う表示速度変更処理の手順を示すフローチャートである。まず、表示処理部２１０は、各補正部２０のシーン変化検出部２２にて動画データにシーンの変化が生じたか否かを調べ（ステップＳ４１）、いずれの動画データにもシーンの変化が生じていない場合には（Ｓ４１：ＮＯ）、シーンの変化が生じるまで既に算出した補正値に基づく階調値の補正を継続して行う。動画データにシーンの変化が生じた場合（Ｓ４１：ＹＥＳ）、表示処理部２１０は、シーン変化検出部２２が出力切替部２３を制御することにより、動画データと共に入力された特徴量を出力切替部２３から速度決定部２１７へ出力する（ステップＳ４２）。なおこの場合には、動画データの特徴量は基準値算出部３０へも出力される（図１０参照）が、本図においては速度決定以外の処理については図示を省略してある。
【００９２】
次いで、表示処理部２１０は、速度決定部２１７にて、シーンが変化した動画データに係る特徴量とその周囲に一覧表示される動画データに係る特徴量との差分を算出し（ステップＳ４３）、算出した差分が予め定められた閾値を超えるか否かを調べる（ステップＳ４４）。差分が閾値を超える場合（Ｓ４４：ＹＥＳ）、表示処理部２１０は速度決定部２１７にて、図１３（ａ）又は（ｂ）に示した方法で表示速度の決定を行い（ステップＳ４５）、決定した表示速度をシーンが変化した動画データを復号する復号部２１１へ通知することにより表示速度を変更し（ステップＳ４６）、処理を終了する。また、ステップＳ４４にて差分が閾値を超えない場合には（Ｓ４４：ＮＯ）、表示速度の変更を行わずに処理を終了する。
【００９３】
以上の構成の実施の形態２に係る表示処理部２１０は、いずれかの補正部２０にて動画データのシーンの変化が検出された場合に、シーンが変化した動画データの特徴量とその周囲に表示される動画データの特徴量との差分に応じて、シーンが変化した動画データの表示速度を速度決定部２１７が決定し、この動画データの表示速度を変更する構成とすることにより、シーンの変化に伴って明るさ又は色調等が急激に変化した動画を遅く表示することができ、一覧表示された複数の動画の見易さを改善することができる。よって、ディスプレイ２に一覧表示した各動画のそれぞれについての視認性を向上することができ、且つ、一覧表示の全体の視認性を向上することができる。
【００９４】
なお、実施の形態２に係る表示処理部２１０のその他の構成は、実施の形態１に係るハードディスクレコーダ１の表示処理部１０の構成と同様であるため、対応する箇所には同じ符号を付して説明を省略する。
【００９５】
（実施の形態３）
図１５は、本発明の実施の形態３に係る表示処理部３１０の構成を示すブロック図である。実施の形態１に係る表示処理部１０の表示位置決定部１４及び実施の形態２に係る表示処理部２１０の表示位置決定部１４は、例えば動画データの名称の五十音順、動画データの作成された日時の順、データ量の順、又はユーザが予め定めた表示順等に複数の動画を並べるように、各動画の表示位置を決定する構成であった。これに対して実施の形態３に係る表示処理装置３１０の表示位置決定部３１４は、一覧表示する各動画データの特徴量を基に表示位置を決定する構成である。
【００９６】
実施の形態３に係る表示処理部３１０の表示位置決定部３１４には、複数の補正部２０から各動画データに係る特徴量が与えられている。動画の一覧表示を開始する場合に、表示位置決定部３１４は各動画データの最初のフレームに係る特徴量をそれぞれ比較し、特徴量の大きい順又は小さい順等に動画を並べて表示するように、各動画の表示位置を決定するようにしてある。表示位置決定部３１４による表示位置の決定は、一覧表示を開始する場合（開始前）にのみ行うようにしてあり、その後にいずれかの動画にてシーンが変化した場合であっても、表示位置決定部３１４が表示位置を更新することはない。
【００９７】
図１６は、本発明の実施の形態３に係る表示処理部３１０による動画の一覧表示の表示例を示す模式図である。例えば、表示位置決定部３１４は、動画データの特徴量が大きい（又は小さい）順にディスプレイ２の表示面の左上から水平方向に動画を並べ、水平方向の動画の列を上から下へ垂直方向に特徴量が大きい順に並べるように表示位置を決定してもよい（図１６（ａ）参照）。また例えば、表示面の左上から斜め方向に折り返しながら所謂ジグザグ走査順で特徴量の順に動画を並べて、表示面の左上側に特徴量が大きい動画が偏り、右下側に特徴量の小さい動画が偏るように、表示位置決定部３１４が表示位置を決定してもよい（図１６（ｂ）参照）。また例えば、表示面の中央部から周辺部へ渦巻状に特徴量の順で動画が並ぶように、表示位置決定部３１４が表示位置を決定してもよい（図１６（ｃ）参照）。なお、図１６（ａ）〜（ｃ）に示した動画の表示位置は一例であり、特徴量を基に表示位置決定部３１４により決定される複数の動画の表示位置は図１６に示すものに限らない。
【００９８】
以上の構成の実施の形態３に係る表示処理装置３１０では、表示位置決定部３１４が各動画データの特徴量を基に複数の動画の表示位置を決定する構成とすることにより、例えば明るさが同程度の動画を隣接して一覧表示することができるため、一覧表示の際に生じる各動画の明るさ又は色調等の不均衡を解消することができ、一覧表示の視認性を更に向上することができる。
【００９９】
なお、実施の形態３に係る表示処理部３１０のその他の構成は、実施の形態２に係る表示処理部２１０の構成と同様であるため、対応する箇所には同じ符号を付して説明を省略する。
【０１００】
（実施の形態４）
実施の形態１〜３においては、表示処理部に動画データと共に入力される特徴量及びシーン境界の情報を動画データの提供者が予め作成して提供することを前提とした。実施の形態４においては、表示処理部には動画データのみを入力し、表示処理部内にて動画データから特徴量及びシーン境界を算出する構成について説明する。図１７は、本発明の実施の形態４に係る表示処理部４１０の構成を示すブロック図である。
【０１０１】
実施の形態４に係る表示処理部４１０には、ハードディスク７から読み出された複数の動画データが入力されるのみであり、入力された複数の動画データは表示処理部４１０の復号部１１にてそれぞれ復号されて補正部４２０へそれぞれ与えられる。実施の形態４に係る表示処理部４１０の補正部４２０は、実施の形態１に係る表示処理装置１０の補正部２０に特徴量及びシーン境界を動画データから算出する機能を加えたものである。
【０１０２】
図１８は、本発明の実施の形態４に係る表示処理部４１０の補正部４２０の構成を示すブロック図である。補正部４２０は、実施の形態１の補正部２０と同様の機能を有する階調調整部２１、出力切替部２３、補正値算出部２５及び階調補正部２６と、２つの統計分析部４２４及び４２７と、実施の形態１のシーン変化検出部２２とは異なる処理を行うシーン変化検出部４２２とを備えている。
【０１０３】
補正部４２０にフレーム毎に入力された動画データは、階調調整部２１及び統計分析部４２７へ与えられるようにしてある。統計分析部４２７は、動画データのフレームを構成する各画素の階調値と画素数とを対応付けたヒストグラムを生成してシーン変化検出部４２２へ与えると共に、生成したヒストグラムから動画データの最大階調値Ｇｍａｘ及び最小階調値Ｇｍｉｎを算出して階調調整部２１へ与えるようにしてある。階調調整部２１は、統計分析部４２７から与えられた最大階調値Ｇｍａｘ及び最小階調値Ｇｍｉｎを基に、入力された動画データの階調値が予め定められた範囲内となるように階調値を調整し、調整後の動画データを統計分析部４２４及び階調補正部２６へ出力する。
【０１０４】
シーン変化検出部４２２は、動画データの一又は複数のフレームに係るヒストグラムを記憶するメモリを有しており、統計分析部４２７から与えられた新たなヒストグラムと、１つ前のフレームに係るヒストグラムとから、２つのフレーム間の相関度（例えば２つのヒストグラムのデータ列の相関を表す相関係数）を算出するようにしてある。シーン変化検出部４２２は、算出した相関度と予め定められた閾値とを比較し、相関度が閾値より小さい場合にシーンが変化したと判定して、出力切替部２３が特徴量を出力するように制御を行うようにしてある。
【０１０５】
統計分析部４２４は、階調調整部２１にて階調調整された動画データのヒストグラムを作成して補正値算出部２５へ与えると共に、動画データの特徴量を算出して出力切替部２３へ与えるようにしてある。特徴量の算出は、例えば動画データのフレーム毎に明るさ又は色調の平均値を算出することで行うことができる。統計分析部４２４から出力切替部２３に与えられた特徴量は、シーン変化検出部４２２の制御に基づいて、動画データのシーンが変化した場合に基準値算出部３０へ出力される。その後、特徴量に基づいて基準値算出部３０にて基準値を算出し、この基準値に基づいて補正値算出部２５にて補正値を算出し、この補正値を用いて階調補正部２６が動画データの階調値を補正してバッファメモリ１２へ出力する。
【０１０６】
以上の構成の実施の形態４に係る表示処理装置４１０は、補正部４２０の統計分析部４２７及びシーン変化検出部４２２にて、与えられた動画データのみからシーンの変化を検出すると共に、統計分析部４２４にて動画データの特徴量を算出する構成とすることにより、動画データの提供者が予め特徴量及びシーン境界を動画データに付与しておく必要がないため、動画データの提供者の負担を軽減できると共に、本発明に係る動画表示処理装置の利便性を向上することができる。
【０１０７】
なお、実施の形態４に係る表示処理部４１０のその他の構成は、実施の形態１に係る表示処理部１０の構成と同様であるため、対応する箇所には同じ符号を付して説明を省略する。
【０１０８】
（実施の形態５）
実施の形態４においては表示処理部４１０に動画データから特徴量及びシーン境界を算出する機能を搭載する構成について説明したが、動画データからの特徴量及びシーン境界の算出を表示処理部とは異なる別の機能ブロック（又は別の装置）にて行う構成とすることもできる。実施の形態５においては動画データからの特徴量及びシーン境界の算出を別の機能ブロックにて行う構成について説明する。
【０１０９】
図１９は、本発明の実施の形態５に係るハードディスクレコーダ５０１の構成を示すブロック図である。実施の形態５に係るハードディスクレコーダ５０１は、実施の形態１に係るハードディスクレコーダ１の入力部６及びハードディスク７の間に特徴量多重化部５５０を設けた構成である。即ち、実施の形態５に係るハードディスクレコーダ５０１では、入力部６がネットワークＩ／Ｆ４又はチューナ５から取得した動画データを特徴量多重化部５５０へ与えるようにしてあり、特徴量多重化部５５０が動画データに特徴量及びシーン境界に係る情報を付与してハードディスク７へ与えるようにしてある。ハードディスク７は、特徴量及びシーン境界に係る情報が付与された動画データを記憶し、表示処理部１０へ動画データと共に特徴量及びシーン境界に係る情報を与えるようにしてある。
【０１１０】
図２０は、本発明の実施の形態５のハードディスクレコーダ５０１の特徴量多重化部５５０の構成を示すブロック図である。特徴量多重化部５５０は、動画データの明るさ又は色調等の特徴量及びシーン境界に係る情報をシーン毎に算出し、算出した情報をメタデータとして動画データに付与して多重化する処理を行うものである。特徴量多重化部５５０は、復号部５５１、バッファ部５５２、統計分析部５５３、特徴量記録部５５４、シーン変化検出部５５５及び多重化部５５６等により構成されている。
【０１１１】
特徴量多重化部５５０に入力された動画データは、復号部５５１及びバッファ部５５２に与えられるようにしてある。復号部５５１は、入力部６から与えられた動画データを所定の符号化方式に従って復号し、復号した動画データを統計分析部５５３へ与えるようにしてある。また、バッファ部５５２は、入力部６から与えられた動画データを一時的に蓄積するようにしてある。
【０１１２】
統計分析部５５３は、復号部５５１にて復号された動画データの階調値のヒストグラムを作成してシーン変化検出部５５５へ与えるようにしてある。また、統計分析部５５３は、復号部５５１にて復号された動画データの明るさ又は色調等に係る統計処理を行い、動画データのフレーム毎に階調値の平均値、最大値及び最小値などの特徴量を算出するようにしてある。例えば、動画データのフレームを構成する画素が輝度Ｙ、色差Ｃｂ及び色差Ｃｒの３つの成分を有するＹＵＶフォーマットの場合、Ｙ成分の階調値から輝度特徴量を算出することができ、Ｃｂ成分及びＣｒ成分の階調値から色特徴量を算出することができる。統計分析部５５３は、算出した平均値、最大値及び最小値などの特徴量を特徴量記録部５５４に与えて、特徴量記録部５５４に特徴量を一時的に記録させるようにしてある。
【０１１３】
シーン変化部５５５は、動画データの一又は複数のフレームに係るヒストグラムを記憶するメモリを有しており、統計分析部５５３から与えられた新たなヒストグラムと、１つ前のフレームに係るヒストグラムとから、２つのフレーム間の相関度を算出するようにしてある。シーン変化検出部５５５は、算出した相関度と予め定められた閾値とを比較し、相関度が閾値より小さい場合にシーンが変化したと判定するようにしてある。シーン変化部５５５は、シーン変化の検出結果を多重化部５５６へ与えるようにしてある。
【０１１４】
多重化部５５６は、バッファ部５５２に蓄積された動画データと、特徴量記録部５５４に記録された特徴量と、シーン変化検出部５５５の検出結果に係る情報とを多重化して１つのデータとして出力するようにしてある。図２１は、多重化部５５６によるデータの多重化を説明するための模式図である。多重化部５５６は、シーン変化検出部５５５にて動画データのシーンの変化が検出された場合に、特徴量記録部５５４に記録された特徴量と、シーン境界としてシーンの変化が検出されたフレームの番号とを１つのパケット（Ｉｄ＝ｎ１）に収め、それ以外の場合にはバッファ５５２に蓄積された動画データを順次取得してパケット（Ｉｄ＝ｎ２）に収めるようにしてある。これにより、多重化部５５６は、動画データと特徴量及びシーン境界とを異なるＩＤのパケットに収めて、パケット多重化された動画データをハードディスク７へ出力することができる。
【０１１５】
図２２は、多重化部５５６が行う多重化処理の手順を示すフローチャートである。まず多重化部５５６は、シーン変化検出部５５５にて動画データのシーンの変化が検出されたか否かを調べる（ステップＳ６１）。動画データのシーンの変化が検出された場合（Ｓ６１：ＹＥＳ）、多重化部５５６は特徴量記録部５５４に記録された特徴量を読み出して（ステップＳ６２）、読み出した特徴量と、シーン境界としてシーンの変化が生じたフレーム番号とをパケットに収め（ステップＳ６３）、パケットを出力する（ステップＳ６６）。
【０１１６】
また、動画データのシーンの変化が検出されていない場合（Ｓ６１：ＮＯ）、多重化部５６はバッファ部５５２から動画データを読み出して（ステップＳ６４）、読み出した動画データをパケットに収め（ステップＳ６５）、パケットを出力する（ステップＳ６６）。パケットの出力後、多重化部５５６は動画データの全てについて処理を終了したか否かを調べ（ステップＳ６７）、終了していない場合は（Ｓ６７：ＮＯ）、ステップＳ６１へ戻って上述の処理を繰り返し行う。動画データの全てについて処理を終了した場合（Ｓ６７：ＹＥＳ）、多重化部５５６は多重化処理を終了する。
【０１１７】
以上の構成の実施の形態５に係るハードディスクレコーダ５０１は、ネットワークＩ／Ｆ４又はチューナ５から取得した動画データに対して、特徴量多重化部５５０にて特徴量及びシーン境界の算出及び付加を行うことによって動画データを多重化してハードディスク７に記憶する構成とすることにより、表示処理部１０へ動画データと共に特徴量及びシーン境界に係る情報を与えることができるため、実施の形態１に示すように動画データの特徴量に基づく一覧表示を行うことができ、一覧表示の視認性を向上することができる。また、動画データの提供者が予め特徴量及びシーン境界を動画データに付与しておく必要がないため、動画データの提供者の負担を軽減できる。
【０１１８】
なお、実施の形態５においては、特徴量多重化部５５０をハードディスクレコーダ５０１の入力部６及びハードディスク７の間に設ける構成としたが、これに限るものではなく、その他の場所に設ける構成としてもよく、例えばハードディスク７及び表示処理部１０の間に特徴量多重化部５５０を設ける構成としてもよい。また、特徴量多重化部５５０をハードディスクレコーダ５０１に設けるのではなく、個別の装置として実現する構成としてもよい。動画データの提供者がこの装置を利用して動画データを多重化して提供することにより、実施の形態１に係るハードディスクレコーダ１にて特徴量に応じた一覧表示を行うことが可能となる。
【０１１９】
なお、実施の形態５に係るハードディスクレコーダ５０１のその他の構成は、実施の形態１に係るハードディスクレコーダ１の構成と同様であるため、対応する箇所には同じ符号を付して説明を省略する。
【図面の簡単な説明】
【０１２０】
【図１】本発明の実施の形態１に係るハードディスクレコーダの構成を示すブロック図である。
【図２】本発明の実施の形態１に係る表示処理部の構成を示すブロック図である。
【図３】本発明の実施の形態１に係る表示処理部の補正部の構成を示すブロック図である。
【図４】本発明の実施の形態１に係る表示処理部の基準値算出部の構成を示すブロック図である。
【図５】階調調整部による階調調整処理を説明するための模式図である。
【図６】補正値算出部による補正値の算出方法を説明するための模式図である。
【図７】補正値算出部が補正値として作成する変換テーブルを説明するための模式図である。
【図８】動画の一覧表示の表示例を示す模式図である。
【図９】本発明の実施の形態１に係る表示処理部が一覧表示の開始時に行う処理の手順を示すフローチャートである。
【図１０】本発明の実施の形態１に係る表示処理部が動画のシーンの変化を検出した場合に行う処理の手順を示すフローチャートである。
【図１１】本発明の実施の形態１の変形例に係る動画表示処理装置の構成を示すブロック図である。
【図１２】本発明の実施の形態２に係る表示処理部の構成を示すブロック図である。
【図１３】速度決定部による表示速度の決定方法を説明するための模式図である。
【図１４】本発明の実施の形態２に係る表示処理部が行う表示速度変更処理の手順を示すフローチャートである。
【図１５】本発明の実施の形態３に係る表示処理部の構成を示すブロック図である。
【図１６】本発明の実施の形態３に係る表示処理部による動画の一覧表示の表示例を示す模式図である。
【図１７】本発明の実施の形態４に係る表示処理部の構成を示すブロック図である。
【図１８】本発明の実施の形態４に係る表示処理部の補正部の構成を示すブロック図である。
【図１９】本発明の実施の形態５に係るハードディスクレコーダの構成を示すブロック図である。
【図２０】本発明の実施の形態５のハードディスクレコーダの特徴量多重化部の構成を示すブロック図である。
【図２１】多重化部によるデータの多重化を説明するための模式図である。
【図２２】多重化部が行う多重化処理の手順を示すフローチャートである。
【符号の説明】
【０１２１】
１  ハードディスクレコーダ
２  ディスプレイ（表示手段）
３  制御部
６  入力部
７  ハードディスク
８  出力部
１０  表示処理部（動画表示処理装置）
１１  復号部
１２  バッファメモリ
１３  出力切替部
１４  表示位置決定部
１５  動画出力部
２０  補正部
２１  階調調整部（調整手段）
２２  シーン変化検出部（シーン変化検出手段）
２３  出力切替部
２４  統計分析部
２５  補正値算出部（補正値算出手段）
２６  階調補正部（補正手段）
３０  基準値算出部（基準値算出手段）
３１  色調整部
３２  輝度変換テーブル
３３  輝度調整部
３４  輝度逆変換テーブル
１０１  ＰＣ
１０２  ＣＰＵ（動画表示処理装置）
１０８  ハードディスク
１１０  動画表示プログラム（コンピュータプログラム）
１５０  動画データ
１６０  記録媒体
２１０  表示処理部（動画表示処理装置）
２１１  復号部
２１７  速度決定部（表示速度決定手段）
３１０  表示処理部（動画表示処理装置）
３１４  表示位置決定部（表示位置決定手段）
４１０  表示処理部（動画表示処理装置）
４２０  補正部
４２２  シーン変化検出部
４２４  統計分析部（特徴量算出手段）
４２７  統計分析部
５０１  ハードディスクレコーダ
５５０  特徴量多重化部（動画データ多重化装置）
５５１  復号部
５５２  バッファ部
５５３  統計分析部（特徴量算出手段）
５５４  特徴量記録部
５５５  シーン変化検出部（シーン変化検出手段）
５５６  多重化部（多重化手段）
【図１】
2009055231.tif 000003
【図２】
2009055231.tif 000004
【図３】
2009055231.tif 000005
【図４】
2009055231.tif 000006
【図５】
2009055231.tif 000007
【図６】
2009055231.tif 000008
【図７】
2009055231.tif 000009
【図８】
2009055231.tif 000010
【図９】
2009055231.tif 000011
【図１０】
2009055231.tif 000012
【図１１】
2009055231.tif 000013
【図１２】
2009055231.tif 000014
【図１３】
2009055231.tif 000015
【図１４】
2009055231.tif 000016
【図１５】
2009055231.tif 000017
【図１６】
2009055231.tif 000018
【図１７】
2009055231.tif 000019
【図１８】
2009055231.tif 000020
【図１９】
2009055231.tif 000021
【図２０】
2009055231.tif 000022
【図２１】
2009055231.tif 000023
【図２２】
2009055231.tif 000024